(57)【要約】【課題】  移動体電話システムのエリア内における通信状態が悪い位置を低コストかつ短時間で正確に発見すること。【解決手段】  ＣＰＵ７１は、プログラム８１に従って、移動体電話システムのエリア内の各所の位置情報、および、その位置での、移動体電話機の通信回路を模擬した回路により基地局との間で通信した際の電波状態を示す所定の特性値に基づいて、その特性値が所定の条件を満たす通信状態の位置を特定する。そして、ディスプレイ６２は、位置特定手段により特定された位置を地図上に表示するとともに、特性値の計測時におけるＧＰＳ衛星からの信号の受信状態を地図上に表示する。【選択図】  図８
2006020361.tif 000002
【特許請求の範囲】
【請求項１】
移動体電話システムのエリア内の各所の位置情報、および、その位置での、移動体電話機の通信回路を模擬した回路により基地局との間で通信した際の電波状態を示す所定の特性値に基づいて、上記特性値が所定の条件を満たす通信状態の位置を特定する位置特定手段と、
上記位置特定手段により特定された上記位置を地図上に表示するとともに、上記特性値の計測時におけるＧＰＳ衛星からの信号の受信状態を上記地図上に表示する位置表示手段と、
を備えることを特徴とする通信状態解析装置。
【請求項２】
前記位置表示手段は、前記特性値の計測時におけるＤＧＰＳ用の補正情報の受信状態を前記地図上に表示することを特徴とする請求項１記載の通信状態解析装置。
【請求項３】
前記位置表示手段は、ＧＰＳ衛星からの信号の受信状態に応じて、前記位置を示す画像の大きさ、色および図形のうちの少なくとも１つを変化させることを特徴とする請求項１記載の通信状態解析装置。
【請求項４】
移動体電話システムのエリア内の各所の位置情報、および、その位置での、移動体電話機の通信回路を模擬した回路により基地局との間で通信した際の電波状態を示す所定の特性値に基づいて、上記特性値が所定の条件を満たす通信状態の位置を特定するステップと、
特定した上記位置を地図上に表示するステップと、
上記特性値の計測時におけるＧＰＳ衛星からの信号の受信状態を上記地図上に表示するステップと、
を備えることを特徴とする通信状態解析方法。
【請求項５】
移動体電話システムのエリア内の各所の位置情報、および、その位置での、移動体電話機の通信回路を模擬した回路により基地局との間で通信した際の電波状態を示す所定の特性値に基づいて、上記特性値が所定の条件を満たす通信状態の位置を特定する位置特定手段、並びに、
上記位置特定手段により特定された上記位置を地図上に表示させるとともに、上記特性値の計測時におけるＧＰＳ衛星からの信号の受信状態を上記地図上に表示させる位置表示制御手段、
としてコンピュータを機能させるための通信状態解析プログラム。
【発明の詳細な説明】
【技術分野】
【０００１】
本発明は、移動体電話システムのエリア内での各所の電波状態の測定値に基づいて所定の通信状態の位置を特定し表示するための通信状態解析装置、通信状態解析方法および通信状態解析プログラムに関するものである。
【背景技術】
【０００２】
移動体電話サービスを提供する際、通信可能なエリア内では全域において良好な通信状態が得られることが求められる。ところが、基地局のアンテナの向き、電波出力などの設定によっては、エリア内でも、フェージング、マルチパス、干渉波などの影響で通信状態の悪い場所が発生する場合がある。
【０００３】
従来、そのような通信状態が悪い位置を発見するために、多数の作業員を移動体電話システムのエリア内の各所へ赴かせて電波状態を計測している。そして、通信状態が悪い位置を発見すると、その都度、基地局のアンテナの向き、電波出力などの設定を調整して、そのような通信状態が悪い位置をなくし、エリア内の全域において良好な通信状態が得られるようにしている。
【発明の開示】
【発明が解決しようとする課題】
【０００４】
しかしながら、多数の作業員によりエリア内の各所での電波状態を計測して通信状態が悪い位置を見つける方法では人件費を多く要する。また、人件費を減らすために少人数で計測を行おうとすると、エリア内全域の電波状態を計測するのに長い時間を要することになる。
【０００５】
本発明は、上記の問題を解決するためになされたものであり、移動体電話システムのエリア内における通信状態が悪い位置を低コストかつ短時間で正確に発見することができ、さらに、エリア内における通信不良ポイントなどの各地点の測位精度を簡単に視認できる通信状態解析装置、通信状態解析方法および通信状態解析プログラムを得ることを目的とする。
【課題を解決するための手段】
【０００６】
上記の課題を解決するために、本発明では以下のようにした。
【０００７】
本発明の通信状態解析装置は、移動体電話システムのエリア内の各所の位置情報、および、その位置での、移動体電話機の通信回路を模擬した回路により基地局との間で通信した際の電波状態を示す所定の特性値に基づいて、その特性値が所定の条件を満たす通信状態の位置を特定する位置特定手段と、位置特定手段により特定された位置を地図上に表示するとともに、特性値の計測時におけるＧＰＳ衛星からの信号の受信状態を地図上に表示する位置表示手段とを備えている。
【０００８】
この通信状態解析装置を利用すると、エリア内に通信状態が悪い位置が複数あっても、それらを簡単に視認でき、移動体電話システムのエリア内における通信状態が悪い位置を低コストかつ短時間で発見することができる。さらに、エリア内における通信不良ポイントなどの各地点の測位精度を簡単に視認できる。
【０００９】
さらに、本発明の通信状態解析装置は、上記発明の通信状態解析装置に加え、位置表示手段が、特性値の計測時におけるＤＧＰＳ用の補正情報の受信状態を地図上に表示するものである。
【００１０】
この通信状態解析装置を利用すると、さらに、エリア内における通信不良ポイントなどの各地点の測位精度を簡単に視認できる。
【００１１】
さらに、本発明の通信状態解析装置は、上記発明の通信状態解析装置に加え、位置表示手段が、ＧＰＳ衛星からの信号の受信状態に応じて、位置を示す画像の大きさ、色および図形のうちの少なくとも１つを変化させるものである。
【００１２】
本発明の通信状態解析方法は、移動体電話システムのエリア内の各所の位置情報、および、その位置での、移動体電話機の通信回路を模擬した回路により基地局との間で通信した際の電波状態を示す所定の特性値に基づいて、その特性値が所定の条件を満たす通信状態の位置を特定するステップと、特定した位置を地図上に表示するステップと、特性値の計測時におけるＧＰＳ衛星からの信号の受信状態を地図上に表示するステップとを備えている。
【００１３】
この通信状態解析方法を利用すると、エリア内に通信状態が悪い位置が複数あっても、それらを簡単に視認でき、移動体電話システムのエリア内における通信状態が悪い位置を低コストかつ短時間で発見することができる。さらに、エリア内における通信不良ポイントなどの各地点の測位精度を簡単に視認できる。
【００１４】
本発明の通信状態解析プログラムは、移動体電話システムのエリア内の各所の位置情報、および、その位置での、移動体電話機の通信回路を模擬した回路により基地局との間で通信した際の電波状態を示す所定の特性値に基づいて、その特性値が所定の条件を満たす通信状態の位置を特定する位置特定手段、並びに、位置特定手段により特定された位置を地図上に表示させるとともに、特性値の計測時におけるＧＰＳ衛星からの信号の受信状態を地図上に表示させる位置表示制御手段としてコンピュータを機能させるためのものである。
【００１５】
この通信状態解析プログラムを利用すると、エリア内に通信状態が悪い位置が複数あっても、それらを簡単に視認でき、移動体電話システムのエリア内における通信状態が悪い位置を低コストかつ短時間で発見することができる。さらに、エリア内における通信不良ポイントなどの各地点の測位精度を簡単に視認できる。
【発明の効果】
【００１６】
本発明によれば、移動体電話システムのエリア内における通信状態が悪い位置を低コストかつ短時間で正確に発見することができ、さらに、エリア内における通信不良ポイントなどの各地点の測位精度を簡単に視認できる通信状態解析装置、通信状態解析方法および通信状態解析プログラムを得ることができる。
【発明を実施するための最良の形態】
【００１７】
以下、図に基づいて本発明の実施の形態を説明する。
【００１８】
まず、通信状態測定装置について説明する。
【００１９】
図１は、通信状態測定装置１の構成を示すブロック図である。
【００２０】
図１に示す通信状態測定装置１において、プラットホーム回路１１は、携帯電話機、ＰＨＳ（Personal Handyphone System）機などといった移動体電話機の通信回路を模擬した回路を有し、その回路により図示せぬ基地局との間で通信した際の電波状態を示す、例えばＢＥＲ（Bit Error Rate）値、ＲＳＳＩ（Receive Signal Strength Indicator）値といった所定の特性値を時系列に沿って計測する回路である。なお、移動体電話機の通信回路を模擬した回路とは、移動体電話機の内部回路のうちの、基地局との間で所定のプロトコルで通信するベースバンド回路の部分を抽出したものである。
【００２１】
また、ＧＰＳ受信機１２は、図示せぬＧＰＳ（Global Positioning System）衛星からの電波を受信して、現在位置を検知する位置検知手段である。
【００２２】
さらに、記録装置１３は、プラットホーム回路１１により所定の時間間隔で計測された、例えばＢＥＲ値、ＲＳＳＩ値といった所定の特性値を、その計測時刻においてＧＰＳ受信機１２により検知された現在位置の情報に関連付けてハードディスク装置（以下、ＨＤＤという）などの記録媒体２１に順次記録する記録手段である。なお、記録装置１３を、記録媒体２１としてのＨＤＤを内蔵したコンピュータとして実現し、プラットホーム回路１１およびＧＰＳ受信機１２からの信号をＵＳＢ（Universal Serial Bus）などのインタフェースを介して受け取るようにしてもよい。
【００２３】
次に、上記装置の動作について説明する。
【００２４】
プラットホーム回路１１は、基地局との間で回線の確立を試み、そのときの例えばＢＥＲ値、ＲＳＳＩ値といった所定の特性値を、所定の時間間隔（例えば１０分の１秒間隔）で計測し、記録装置１３へ順次供給する。
【００２５】
一方、ＧＰＳ受信機１２は、ＧＰＳ衛星からの電波を受信して、この通信状態測定装置１の現在位置を随時計算し、現在位置の位置情報である緯度および経度を記録装置１３へ供給する。
【００２６】
記録装置１３は、所定の時間間隔でプラットホーム回路１１から上記特性値を供給されると、その時刻における現在位置の緯度および経度とともに、その特性値を記録媒体２１に記録していく。図２は、図１に示す通信状態測定装置１の記録媒体２１に記録される測定データの様式の一例を示す図である。
【００２７】
このように動作する通信状態測定装置１を、例えば自動車、自動二輪、自転車などといった移動体に設置または配置して、その移動体をエリア内で移動させることにより、エリア内の各所における電波状態に対応する特性値が順次記録媒体２１に記録される。
【００２８】
図３は、図１に示す通信状態測定装置１の移動軌跡３２の一例を示す図である。図３に示すように、通信状態測定装置１をエリア３１内で、例えば移動軌跡３２のように可能な限り全域を通るように移動させる。これにより、エリア３１内の各所における電波状態に対応する特性値が得られるため、その各所での特性値に基づいて、エリア３１の全域で通信状態が良好になるように、このエリア３１を管轄する基地局の設定（アンテナの向きや電波出力など）を調整することが可能となる。
【００２９】
以上のように、通信状態測定装置１は、移動体電話機の通信回路を模擬した回路を有し、その回路により基地局との間で通信した際の電波状態を示す所定の特性値を時系列に沿って計測するプラットホーム回路１１と、現在位置を検知するＧＰＳ受信機１２と、プラットホーム回路１１により時系列に沿って計測された所定の特性値（ＢＥＲ値、ＲＳＳＩ値など）を、その時にＧＰＳ受信機１２により検知された現在位置の情報（緯度、経度）に関連付けて順次記録する記録装置１３とを備えている。これにより、この通信状態測定装置１を移動体に設置などしてエリア３１内を移動するだけでエリア３１内各所の電波状態を把握することができるため、移動体電話システムのエリア３１内における通信状態が悪い位置を低コストかつ短時間で発見することができる。
【００３０】
また、通信状態測定装置１は別の形態も可能である。図４は、別の形態の通信状態測定装置１Ａの構成を示すブロック図である。
【００３１】
図４に示す通信状態測定装置１Ａにおいて、プラットホーム回路１１Ａは、図１のプラットホーム回路１１と同様に所定の特性値を測定する機能を有し、ＧＰＳ受信機１２Ａからトリガ信号を供給されたときに各所定の特性値を計測し、記録装置１３Ａに供給する回路である。すなわち、これにより、記録装置１３Ａは、このトリガ信号が出力されたときの各所定の特性値を現在位置の情報に関連付けて記録することになる。
【００３２】
また、ＧＰＳ受信機１２Ａは、図１のＧＰＳ受信機１２と同様に現在位置を検知する機能を有し、ＧＰＳ衛星から受信される信号に同期してトリガ信号を出力する装置である。
【００３３】
図５は、図４におけるＧＰＳ受信機１２Ａの構成例を示すブロック図である。図５に示すＧＰＳ受信機１２Ａにおいて、アンテナ１０１は、ＧＰＳ衛星からの電波を感受するアンテナである。受信回路１０２は、アンテナ１０１を介して各ＧＰＳ衛星からの電波を受信し、受信信号を復調して、Ｃ／Ａ（Coarse Acquisition）コード、Ｐ（Precise）コード、Ｙコードを抽出する回路である。
【００３４】
また、復号回路１０３は、スペクトラム拡散されたＰＮ（Pseudo-Noise）符号であるＣ／Ａコード、およびＰ（またはＹ）コードをＧＰＳ衛星からのデータに復号するとともに、いずれかのコード（例えばＣ／Ａコード）の位相に基づいて各ＧＰＳ衛星までの擬似距離を演算し、その際、擬似距離の演算に使用したコードの符号列に同期したタイミング信号を出力する回路である。
【００３５】
演算回路１０４は、復号回路１０３により得られた少なくとも３つのＧＰＳ衛星についての擬似距離、エフェメリス情報、アルマナック情報などに基づいて、現在位置を算出する回路である。なお、これらの情報から現在位置を算出する処理はよく知られている方法を用いればよい。また、現在位置の誤差を低減する場合には少なくとも４つのＧＰＳ衛星からの擬似距離を使用する。
【００３６】
トリガ回路１０５は、復号回路１０３により出力されるタイミング信号、すなわち、擬似距離の演算に使用したコードの符号列に同期したタイミング信号のすべてに同期して、あるいは、そのタイミング信号のうち、実際に現在位置の算出に使用される擬似距離についてのタイミング信号のみに同期して、トリガ信号を出力する回路である。
【００３７】
さらに、記録装置１３Ａは、図１の記録装置１３と同様に、例えばＢＥＲ値、ＲＳＳＩ値といった所定の特性値を、その計測時刻においてＧＰＳ受信機１２Ａにより検知された現在位置の情報に関連付けて記録媒体２１に順次記録する機能を有し、さらに、その現在位置の情報に関連付けてＧＰＳ衛星からの信号（ＧＰＳ信号）の受信状態を記録する装置である。図６は、図４に示す通信状態測定装置１Ａの記録媒体２１に記録される測定データの様式の一例を示す図である。
【００３８】
次に、上記装置の動作について説明する。
【００３９】
ＧＰＳ受信機１２Ａでは、受信回路１０２がアンテナ１０１を介して各ＧＰＳ衛星からの信号を受信する。ＧＰＳ衛星からの信号には、Ｃ／ＡコードおよびＰ（またはＹ）コードが含まれるＬ１信号と、Ｐ（またはＹ）コードが含まれるＬ２信号とがある。受信回路１０２は、このＬ１信号およびＬ２信号を復調して、Ｃ／ＡコードおよびＰ（またはＹ）コードを抽出し、復号回路１０３に供給する。
【００４０】
Ｃ／Ａコードでは、１０２３ビットで１つのＰＮ符号が構成される。そして、このＣ／Ａコードは１．０２３ＭＨｚのビットレートを有するので、Ｃ／Ａコードの伝送時間は、１つのＰＮ符号あたり１ミリ秒である。
【００４１】
復号回路１０３は、各ＧＰＳ衛星からのＰＮ符号列をデータに復号し、そのデータ（エフェメリス情報、アルマナック情報およびその他の情報）を演算回路１０４に供給する。
【００４２】
また、復号回路１０３は、各ＧＰＳ衛星からのＣ／ＡコードあるいはＰ（またはＹ）コードと同様のＣ／ＡコードあるいはＰ（またはＹ）コードを生成し、生成したＣ／ＡコードあるいはＰ（またはＹ）コードと、受信したＣ／ＡコードあるいはＰ（またはＹ）コードとの位相誤差に基づいて、ＧＰＳ衛星からこのＧＰＳ受信機１２Ａまでの信号伝達時間を計算し、その信号伝達時間からＧＰＳ衛星とこのＧＰＳ受信機１２Ａとの間の擬似距離を計算し、演算回路１０４に供給する。
【００４３】
さらに、復号回路１０３は、受信したＣ／ＡコードあるいはＰ（またはＹ）コードの１ＰＮ符号ごとに、タイミング信号をトリガ回路１０５に供給する。
【００４４】
トリガ回路１０５は、そのタイミング信号のいずれかに同期してトリガ信号をプラットホーム回路１１に供給する。なお、トリガ回路１０５は、ＧＰＳ衛星からの信号が所定の時間以上途絶え、復号回路１０３からのタイミング信号が所定の時間以上途絶えた場合にも所定のスケジュールに従ってトリガ信号を出力するようにしてもよい。
【００４５】
この際、例えばＣ／ＡコードのＰＮ符号に同期してタイミング信号が生成されると、このタイミング信号は１ミリ秒周期となる。したがって、すべてのタイミング信号に同期してトリガ信号を出力する場合、トリガ回路１０５は、１ミリ秒周期でトリガ信号を出力することとなる。
【００４６】
他方、演算回路１０４による演算に起因して信号受信から現在位置情報出力までに１ミリ秒以上の遅延があり、１ミリ秒周期で演算回路１０４が現在位置情報を計算することが困難な場合には、トリガ回路１０５が、Ｎ個のタイミング信号に１回の割合でトリガ信号を出力するようにしてもよい。
【００４７】
例えば、演算回路１０４による現在位置情報の演算に要する時間が１００ミリ秒であれば、１００ミリ秒に１回の割合で現在位置情報を算出することができるので、１００（Ｎ＝１００）回に１回の割合で、そのときに使用される擬似距離の計算に使用されるＰＮ符号に対応するタイミング信号に同期して１００ミリ秒周期でトリガ信号が出力される。
【００４８】
なお、この場合、ｎ個（ｎ≧３）のＧＰＳ衛星のうちのいずれか１または複数のコードについてトリガ信号が出力されるようにすればよい。あるいは、複数のＧＰＳ衛星からのコードの受信タイミングを平均化などにより加工して、トリガ信号のタイミングを決定するようにしてもよい。
【００４９】
なお、ここでは、タイミング信号を周期的に選択してトリガ信号を生成するようにしているが、復号回路１０３がタイミング信号を出力せずにトリガ回路１０５がＰＮ符号の符号列を監視し所定の周期でトリガ信号を出力するようにしてもよい。
【００５０】
そして、ＧＰＳ受信機１２Ａのトリガ回路１０５からトリガ信号が供給されると、プラットホーム回路１１は、その時点の所定の特性値を計測し、記録装置１３Ａに供給する。一方、ＧＰＳ受信機１２Ａの演算回路１０４は、そのトリガ信号に対応する擬似距離などに基づいて、ＧＰＳからの信号の受信時の現在位置を算出し、記録装置１３Ａに供給する。
【００５１】
このようにして、現在位置情報がＧＰＳ受信機１２Ａの演算回路１０４から記録装置１３Ａに供給されるとともに、その現在位置情報の算出に使用されたＧＰＳ衛星からの信号の受信時における所定の特性値が、プラットホーム回路１１から記録装置１３Ａに供給される。
【００５２】
そして、記録装置１３Ａは、その現在位置情報（現在位置の緯度および経度）とその所定の特性値とを関連づけて記録媒体２１に記録していく。
【００５３】
また、この際、記録装置１３Ａは、ＧＰＳ受信機１２Ａの受信回路１０２により得られるその時点のＧＰＳ衛星からの信号の受信状態を、その現在位置情報およびその所定の特性値に関連づけて記録媒体２１に記録する。
【００５４】
以上のように、ＧＰＳ受信機１２Ａが、ＧＰＳ衛星からの信号に同期してトリガ信号を出力し、記録装置１３Ａが、トリガ信号が出力されたときの各所定の特性値を、ＧＰＳ衛星からの信号の受信時に対する現在位置の情報に関連付けて記録するので、ＧＰＳ衛星からの信号の受信位置と、所定の特性値の測定位置との誤差がほぼなくなり、移動体電話システムのエリア内における通信状態が悪い位置をより正確に発見することができる。
【００５５】
また、プラットホーム回路１１がトリガ信号を供給されたときに各所定の特性値を計測して記録装置１３Ａに供給するので、ＧＰＳ衛星からの信号を受信したときに所定の特性値を測定するため、確実にＧＰＳ衛星からの信号の受信位置と、所定の特性値の測定位置との誤差を小さくすることができる。すなわち、現在位置は信号受信時から演算回路１０４による計算時間だけ後に出力されるが、特性値は信号受信時に計測されるため、上記誤差が小さくなる。
【００５６】
さらに、ＧＰＳ衛星からのＣ／ＡコードおよびＰ（またはＹ）コードのいずれかに同期してトリガ信号を出力するので、ＧＰＳ衛星までの距離の測定に使用されている符号の検出タイミングに基づいて所定の特性値の計測タイミングが決定されるため、確実にＧＰＳ衛星からの信号の受信位置と、所定の特性値の測定位置との誤差を小さくすることができる。
【００５７】
さらに、ＧＰＳ受信機１２Ａは、Ｃ／ＡコードおよびＰ（またはＹ）コードのうちのいずれかの符号列において、ＧＰＳ衛星までの距離の計測に使用する符号のタイミングに同期してトリガ信号を出力するので、Ｃ／ＡコードおよびＰ（またはＹ）コードのうちのいずれかの符号列の周期の所望の整数（Ｎ）倍に、所定の特性値の計測タイミングを決定することができる。
【００５８】
さらに、ＧＰＳ受信機１２Ａが、ＧＰＳ衛星からの信号が所定の時間以上途絶えた場合にも、所定のスケジュールに従ってトリガ信号を出力するので、ＧＰＳ衛星からの信号の受信状態が一時的に悪い場合でも、所定のスケジュールに従い継続して各地点での電波状態を計測することができる。
【００５９】
さらに、記録装置２１Ａが、現在位置の計測時のＧＰＳ衛星からの信号の受信状態を現在位置の情報に関連付けて記録するので、後処理において、ＧＰＳ衛星からの信号の受信状態を考慮した上でエリア内の各地点での通信状態を知ることができる。
【００６０】
さらに、通信状態測定装置１は別の形態も可能である。図７は、さらに別の形態の通信状態測定装置１Ｂの構成を示すブロック図である。
【００６１】
図７に示す通信状態測定装置１Ｂにおいて、カーナビゲーションシステム４１は、ＧＰＳ受信機１２Ａ、車軸などに取り付けられたロータリーエンコーダから車速パルスを検出する車速パルスセンサ５１、車両の走行方位を検出するジャイロセンサ５２、並びに、ＧＰＳ受信機１２Ａによる現在位置情報と車速パルスセンサ５１およびジャイロセンサ５２からの情報に基づいて現在位置を計算する制御回路５３を有する位置検知手段である。
【００６２】
なお、図７におけるその他の構成要素については図４のものと同様であるので、その説明を省略する。
【００６３】
次に、上記装置の動作について説明する。
【００６４】
カーナビゲーションシステム４１は、ＧＰＳ受信機１２Ａにより得られる現在位置情報を、車速パルスセンサ５１により得られる車速情報およびジャイロセンサ５２により得られる走行方位情報に基づいて必要に応じて補正し、補正後の現在位置情報を記録装置１３Ａに供給する。また、カーナビゲーションシステム４１は、ＧＰＳ受信機１２Ａにより現在位置情報が得られない場合にも、過去の位置情報、車速情報の履歴および走行方位情報の履歴などに基づいて、現在位置を計算する。
【００６５】
また、カーナビゲーションシステム４１は、ＧＰＳ受信機１２Ａからのトリガ信号をプラットホーム回路１１にそのまま供給するとともに、ＧＰＳ受信機１２Ａにより現在位置情報が得られない場合には、現在位置を計算する際にトリガ信号をプラットホーム回路１１に供給する。
【００６６】
なお、その他の動作については図４のものと同様であるので、その説明を省略する。
【００６７】
なお、上記の他、車速パルスから得られる車両の速度に応じて、カーナビゲーションシステム４１により現在位置を計算する時間間隔を調整するようにしてもよい。
【００６８】
以上のように、カーナビゲーションシステム４１が、ＧＰＳ受信機１２Ａ、車速パルスセンサ５１およびジャイロセンサ５２を有するので、ＧＰＳ衛星からの信号の受信状態が一時的に悪い場合でも、現在位置を正確に測定でき、ひいては、各地点での電波状態を正確に計測することができる。
【００６９】
また、ＧＰＳ衛星からの信号が所定の時間以上途絶えた場合にも、カーナビゲーションシステム４１が所定のスケジュールに従ってトリガ信号を出力するので、カーナビゲーションシステムを使用することで装置を安価にしつつ、ＧＰＳ衛星からの信号の受信状態が一時的に悪い場合でも、所定のスケジュールに従い継続して各地点での電波状態を計測することができる。
【００７０】
さらに、通信状態測定装置は、ＧＰＳ受信機１２Ａとして、ＤＧＰＳ（Differential GPS）受信機を有し、記録装置１３Ａが現在位置の計測時の補正情報の受信状態を現在位置の情報に関連付けて記録するようにしてもよい。
【００７１】
ＤＧＰＳ受信機は、一般に、図示せぬＧＰＳ受信基地局で得られた測定誤差に基づく補正情報をＦＭ多重方式などにより取得し、その補正情報に基づいて、現在位置情報を補正し、測定精度を向上させる。
【００７２】
さらに、この通信状態測定装置におけるＤＧＰＳ受信機は、その補正情報の受信状態として、補正情報を使用して現在位置情報を補正したか否かなどを記録装置１３Ａに供給し、現在位置などを記録する際にそれらに関連付けて記録する。
【００７３】
なお、その他については、上述の通信状態測定装置１Ａ，１Ｂと同様であるので、その説明を省略する。
【００７４】
以上のように、この通信状態測定装置は、位置検知手段としてＤＧＰＳ受信機を有し、記録装置１３Ａが現在位置の計測時の補正情報の受信状態を現在位置の情報に関連付けて記録するので、ＤＧＰＳに基づいて高精度で現在位置を測定することができるとともに、後処理において、ＤＧＰＳの補正情報の受信状態を考慮した上でエリア内の各地点での通信状態を知ることができる。
【００７５】
次に、本発明の実施の形態に係る通信状態解析装置について説明する。
【００７６】
図８は、本発明の実施の形態に係る通信状態解析装置２の構成を示すブロック図である。
【００７７】
図８に示す通信状態解析装置２において、コンピュータ６１は、ＲＯＭ７２やＨＤＤ７４に記憶されたプログラムを実行するＣＰＵ７１、例えば起動時に必要なプログラムやデータを記憶するＲＯＭ７２、プログラム実行時にプログラムやデータを一時的に記憶するＲＡＭ７３、各種プログラムやデータを格納するＨＤＤ７４、外部装置との間でデータの授受を行うＵＳＢなどといったインタフェース７５、およびディスプレイ６２に対して描画処理を行う描画回路７６を有する装置である。
【００７８】
なお、ＨＤＤ７４は、通信状態解析プログラム８１、移動体電話システムのエリア内の地図データ８２、エリア内の電波状態の測定データ８３などを格納する記録媒体である。
【００７９】
このうち、通信状態解析プログラム８１は、測定データ８３に基づいて、電波状態を示す所定の特性値が所定の条件を満たす通信状態が悪い位置を特定する位置特定手段、並びに、その位置特定手段により特定された通信状態が悪い位置を地図上に表示させる位置表示制御手段としてコンピュータ６１を機能させるためのプログラムである。
【００８０】
また、測定データ８３は、エリア内の各所の位置情報、および、その位置での、移動体電話機の通信回路を模擬した回路により基地局との間で通信した際の電波状態を示す所定の特性値を含むデータである。
【００８１】
ディスプレイ６２は、コンピュータ６１により通信状態解析プログラム８１に従って特定された位置を地図上に表示する位置表示手段としての表示装置である。
【００８２】
次に、上記装置の動作について説明する。すなわち、本発明の実施の形態に係る通信状態解析方法について説明する。図９は、本発明の実施の形態に係る通信状態解析装置２の動作について説明するフローチャートである。
【００８３】
まず、コンピュータ６１のＣＰＵ７１は、通信状態解析プログラム８１に従って、例えば上述（図１）の通信状態測定装置１から測定データ８３を取得する（ステップＳ１）。この際、コンピュータ６１は、例えば、インタフェース７５を介して通信状態測定装置１，１Ａ，１Ｂから測定データ８３を取得し、図８に示すようにＨＤＤ７４に格納する。あるいは、コンピュータ６１は、通信状態測定装置１，１Ａ，１Ｂから離脱させた記録媒体２１を図示せぬ記録媒体駆動装置で駆動して例えば図２や図６に示すような測定データ８３を読み込むようにしてもよい。さらには、無線通信などを利用して、通信状態測定装置１，１Ａ，１Ｂからコンピュータ６１へ測定データ８３を伝送するようにしてもよい。
【００８４】
次に、コンピュータ６１のＣＰＵ７１は、通信状態解析プログラム８１に従って、測定データ８３のうち各地点の測定値（ＢＥＲ値、ＲＳＳＩ値など）を、基地局からの信号を良好に受信、復調できずに通話などが困難になるか否か、すなわち通信状態が不良になるか否かの境界を示す所定の閾値とそれぞれ比較する（ステップＳ２）。
【００８５】
そして、コンピュータ６１のＣＰＵ７１は、通信状態解析プログラム８１に従って、ステップＳ２での比較結果に基づいて、通信状態が不良になると判断した位置（例えば緯度および経度）を特定する（ステップＳ３）。
【００８６】
最後に、コンピュータ６１のＣＰＵ７１は、通信状態解析プログラム８１に従って描画回路７６を制御して、今回、通信状態を測定、解析しているエリアの地図データ８２をＨＤＤ７４から読み出し、そのエリアの地図の画像に、通信状態が不良である位置（以下、通信不良ポイントという）を示す画像を重畳した画像をディスプレイ６２に表示させる（ステップＳ４）。
【００８７】
図１０は、本発明の実施の形態に係る通信状態解析装置２で表示されたエリアの地図と通信不良ポイントの一例を示す図である。図１０では、エリアの地図の画像９１に、３箇所の通信不良ポイントを示す画像９２が重畳して表示されている。
【００８８】
これにより、作業員がこの表示画像を見ることでエリア内の通信不良ポイントを確認し、このエリアを管轄する基地局の設定を調整することが可能となる。
【００８９】
さらに、上述したような、ＧＰＳ衛星からの信号の受信状態やＤＧＰＳ用の補正情報の受信状態も測定データ８３に併せて記録されている場合には、ＣＰＵ７１は、通信状態解析プログラム８１に従って、それらの信号や情報の受信状態が悪い位置を示す画像をさらに重畳して表示するようにしてもよい。
【００９０】
また、それらの受信状態に基づいて通信不調ポイントのＧＰＳによる測定誤差を求め、その通信不調ポイントの測定誤差に応じて、通信不良ポイントを示す画像９２の大きさ、色、図形などを変化させるようにしてもよい。
【００９１】
以上のように、上記実施の形態によれば、コンピュータ６１が、移動体電話システムのエリア内の各所の位置情報、および、その位置での、移動体電話機の通信回路を模擬した回路により基地局との間で通信した際の電波状態を示す所定の特性値に基づいて、その特性値が所定の条件を満たす通信不良ポイントを特定し、ディスプレイ６２が、コンピュータ６１により特定された通信不良ポイントを地図上に表示する。これにより、エリア内に通信不良ポイントが複数あっても、それらを簡単に視認でき、移動体電話システムのエリア内における通信状態が悪い位置を低コストかつ短時間で発見することができる。
【００９２】
また、上記実施の形態によれば、ディスプレイ６２が特性値の計測時におけるＧＰＳ衛星からの信号の受信状態を地図上に表示するので、エリア内における通信不良ポイントなどの各地点の測位精度を簡単に視認できる。
【００９３】
さらに、上記実施の形態によれば、ディスプレイ６２が特性値の計測時におけるＤＧＰＳ用の補正情報の受信状態を地図上に表示するので、エリア内における通信不良ポイントなどの各地点の測位精度を簡単に視認できる。
【図面の簡単な説明】
【００９４】
【図１】通信状態測定装置の構成を示すブロック図である。
【図２】図１に示す通信状態測定装置の記録媒体に記録される測定データの様式の一例を示す図である。
【図３】図１に示す通信状態測定装置の移動軌跡の一例を示す図である。
【図４】別の形態の通信状態測定装置の構成を示すブロック図である。
【図５】図４におけるＧＰＳ受信機の構成例を示すブロック図である。
【図６】図４に示す通信状態測定装置の記録媒体に記録される測定データの様式の一例を示す図である。
【図７】さらに別の形態の通信状態測定装置の構成を示すブロック図である。
【図８】本発明の実施の形態に係る通信状態解析装置の構成を示すブロック図である。
【図９】本発明の実施の形態に係る通信状態解析装置の動作について説明するフローチャートである。
【図１０】本発明の実施の形態に係る通信状態解析装置で表示されたエリアの地図と通信不良ポイントの一例を示す図である。
【符号の説明】
【００９５】
１，１Ａ，１Ｂ  通信状態測定装置
２  通信状態解析装置
６１  コンピュータ（位置特定手段、位置表示制御手段）
６２  ディスプレイ（位置表示手段）
８１  通信状態解析プログラム
【図１】
2006020361.tif 000003
【図２】
2006020361.tif 000004
【図３】
2006020361.tif 000005
【図４】
2006020361.tif 000006
【図５】
2006020361.tif 000007
【図６】
2006020361.tif 000008
【図７】
2006020361.tif 000009
【図８】
2006020361.tif 000010
【図９】
2006020361.tif 000011
【図１０】
2006020361.tif 000012